(57)【要約】【課題】原稿詰まり発生後、原稿一式を再読み取りしてもページの欠落等がなく、重複読み取り等で効率を損ねることのない画像読取装置を提供する。【解決手段】原稿一式が原稿載置板に載置された際に昇降機構により原稿を給紙位置まで上昇させて原稿載置板の上昇量を第１の上昇量として記憶した後に原稿一式から順次１枚分の原稿を繰り出し原稿読取処理を実行するとともに原稿の繰り出し枚数を計数し、原稿ジャムを検知した際の繰り出し枚数をジャム発生時数として記憶し、原稿ジャムの解消後に原稿トレイに原稿一式が再度載置された際に原稿を給紙位置まで上昇させて原稿載置板の上昇量を第２の上昇量として記憶し、第１の上昇量と第２の上昇量との差が許容値以下である場合に原稿一式から順次１枚分の原稿を繰り出すとともに原稿の繰り出し枚数を計数し、ジャム発生時数の前までの原稿は原稿読取処理をせずに排出する。【選択図】図３
2015164249.tif 000002
【特許請求の範囲】
【請求項１】
複数ページの原稿が積み重ねられた原稿一式を載置する原稿載置板と、
前記原稿載置板の上方に配置され前記原稿に当接して前記原稿を繰り出す繰り出しローラーと、
前記原稿載置板を前記原稿がセットされる載置位置から前記原稿が前記繰り出しローラーと当接する給紙位置まで昇降させる昇降機構と、
前記原稿の一方の面の画像を読み取る読み取り部と、
前記繰り出しローラーによって繰り出された前記原稿を前記読み取り部へ搬送して排出する原稿搬送部と、
前記原稿搬送部内の原稿ジャムを検知するジャム検知部と、
前記原稿搬送部によって搬送された前記原稿を前記読み取り部で読み取る原稿読取処理を実行する制御部と
を備え、
前記制御部は、
前記原稿一式が前記原稿載置板に載置された際に、
前記昇降機構により前記原稿を前記給紙位置まで上昇させると共に前記原稿載置板の上昇量を第１の上昇量として記憶した後に前記原稿一式から順次１枚分の前記原稿を繰り出し前記原稿読取処理を実行するとともに当該原稿の繰り出し枚数を計数する第１の原稿搬送処理を開始し、
前記ジャム検知部により前記原稿ジャムを検知した際の前記繰り出し枚数をジャム発生時数として記憶し、
前記原稿ジャムの解消後に前記原稿トレイに前記原稿一式が再度載置された際に前記原稿を前記給紙位置まで上昇させると共に前記原稿載置板の上昇量を第２の上昇量として記憶し、
前記第１の上昇量と前記第２の上昇量との差が予め設定される許容値以下である際に、
前記原稿一式から順次１枚分の前記原稿を繰り出すとともに当該原稿の繰り出し枚数を計数し、前記繰り出し枚数が前記ジャム発生時数に到達する前までの前記原稿は前記原稿読取処理をせずに順次排出する一方、前記繰り出し枚数が前記ジャム発生時数に到達した以後の前記原稿は前記原稿読取処理を実行して排出する第２の原稿搬送処理を開始する
ことを特徴とする画像読取装置。
【請求項２】
前記昇降機構はステッピングモーターを含み、
前記第１の上昇量ならびに前記第２の上昇量は前記ステッピングモーターへ付与するパルス信号のパルス数に基づいて算出する
ことを特徴とする請求項１に記載の画像読取装置。
【請求項３】
前記制御部は、
諸情報を出力するとともに各種処理の指示命令が入力される入出力部を有し、
前記第１の原稿搬送処理中に前記原稿搬送部内で前記原稿ジャムが発生した際は前記入出力部を介して前記原稿一式を再度前記原稿載置板に載置させる要求情報を出力するとともに前記第２の原稿搬送処理の開始指示を待ち、
前記第２の原稿搬送処理の開始指示後に前記第１の上昇量と前記第２の上昇量との差が前記許容値を超えている場合には繰り返し前記入出力部を介して前記原稿一式を再度前記原稿載置板に載置させる要求情報を出力するとともに前記第２の搬送処理の開始指示を待つ
ことを特徴とする請求項１または請求項２の何れかに記載の画像読取装置。
【発明の詳細な説明】
【技術分野】
【０００１】
本発明は、原稿を１ページずつ自動搬送して読み取ることのできる画像読取装置に関する。
【背景技術】
【０００２】
近年、複数ページの原稿を連続して読み取るためのＡＤＦ（Ａuto Ｄocument Ｆeeder：自動原稿供給装置）を備えたスキャナー（イメージスキャナー：画像読取装置）が増えた。
また、プリンター機能とスキャナー機能とを組み合わせることでコピー機能（複写機能）をも実現できるため、ＡＤＦを有するイメージスキャナーとプリンターとを組み合わせて構成されるコピー機も多くなっている。
【０００３】
ところで、読み取るべき原稿用紙には折り目がついていることも珍しくなく、これがＡＤＦでのジャム（ＪＡＭ、紙詰まりを意味する）の原因の一つにもなる。
また、変形した原稿（各々寸法や形状が著しく異なる原稿）が重ねられてＡＤＦにセットされたり、ステイプルで綴じられたページを含む原稿がＡＤＦにセットされる場合もある。このような場合には、ＡＤＦでのジャムを避けることは難しい。
【０００４】
ＡＤＦでジャムが発生した場合、こうしたコピー機やイメージスキャナーは原稿の読み取りを一旦停止し、当該装置本体あるいはこれらが接続されるコンピューター等によってジャムの発生を報知する。一方のコピー機やイメージスキャナー等の利用者は、ジャムを解消するために然るべき作業の後、原稿の読み取り再開の操作を行う。
【０００５】
複数ページで一式となる（複数ページ分の画像データを１つの電子ファイルとする）原稿の読み取り中にジャムが発生し、ジャムを解消後に読み取りを再開する場合、ページの欠落や他の原稿の混入等のミスを防ぐために、全ページをＡＤＦに戻した後、読み取りを再開する場合がある。
その際、ＡＤＦは原稿の最初のページから取り込み、このページをイメージスキャナーの対向位置まで搬送するが、読み取りの効率を高めるため、既に読み取り済みのページは読み取り処理を行わずに排出する技術もある。
【先行技術文献】
【特許文献】
【０００６】
【特許文献１】特開２０００−９８８２１号公報
【特許文献２】特開２００５−３４１３５７号公報
【発明の概要】
【発明が解決しようとする課題】
【０００７】
上述のように、既に読み取り済みのページは読み取り処理を行わずに排出するためには、最初のページから何ページ目でジャムが発生したのかを把握しておく必要がある。
例えば特開２０００−９８８２１号公報に示される例では、ＡＤＦにセットした原稿の読み取りを開始すると、取り込んだページ数を計数する。ジャムが発生した後、ジャムを解消して読み取りを再開すると、ジャム発生時の計数値に応じたページ数は読み取り処理を行わずに排出する。
【０００８】
しかしながらこの公報に示される例では、ジャムの解消後に利用者が操作を間違えて、既に読み取られたページやジャムの原因となったページをＡＤＦにセットしなかった等、最初の読み取り開始時とジャム解消後の読み取り再開時とで原稿のページ数が異なると、本来読み取るべきページが読み取られないまま排出されてしまう。
【０００９】
なお、このような不具合を回避しようとするものとして、特開２００５−３４１３５７号公報に示される例がある。
この例では、ＡＤＦにセットした原稿の読み取りを開始すると、１ページ目の画像データは記憶部に保持しておく。ジャムが発生した後、ジャムを解消して読み取りを再開した際の１ページ目の画像データと記憶部に保持しておいた画像データとを比較し、一致しなければ、読み取り再開に際して原稿が正しくセットされていないと判断するものである。
しかしながらこの例においても、画像データを比較したページの後にページの欠落や混入があれば、複数ページで一式となる原稿を正しく読み取ることはできない。
【００１０】
本発明は、かかる点に鑑みてなされたものであり、その目的とするところは、ＡＤＦにおいて原稿詰まりが発生したため原稿一式を再読み取りに供した際にも、ページの欠落や入れ違い、余分なページの混入等がなく、且つ読み取り済みのページを重複して読み取る等で効率を損ねることのない画像読取装置を提供することにある。
【課題を解決するための手段】
【００１１】
本発明の画像読取装置は、複数ページの原稿が積み重ねられた原稿一式を載置する原稿載置板と、前記原稿載置板の上方に配置され前記原稿に当接して前記原稿を繰り出す繰り出しローラーと、前記原稿載置板を前記原稿がセットされる載置位置から前記原稿が前記繰り出しローラーと当接する給紙位置まで昇降させる昇降機構と、前記原稿の一方の面の画像を読み取る読み取り部と、前記繰り出しローラーによって繰り出された前記原稿を前記読み取り部へ搬送して排出する原稿搬送部と、前記原稿搬送部内の原稿ジャムを検知するジャム検知部と、前記原稿搬送部によって搬送された前記原稿を前記読み取り部で読み取る原稿読取処理を実行する制御部とを備え、前記制御部は、前記原稿一式が前記原稿載置板に載置された際に、前記昇降機構により前記原稿を前記給紙位置まで上昇させると共に前記原稿載置板の上昇量を第１の上昇量として記憶した後に前記原稿一式から順次１枚分の前記原稿を繰り出し前記原稿読取処理を実行するとともに当該原稿の繰り出し枚数を計数する第１の原稿搬送処理を開始し、前記ジャム検知部により前記原稿ジャムを検知した際の前記繰り出し枚数をジャム発生時数として記憶し、前記原稿ジャムの解消後に前記原稿トレイに前記原稿一式が再度載置された際に前記原稿を前記給紙位置まで上昇させると共に前記原稿載置板の上昇量を第２の上昇量として記憶し、前記第１の上昇量と前記第２の上昇量との差が予め設定される許容値以下である際に、前記原稿一式から順次１枚分の前記原稿を繰り出すとともに当該原稿の繰り出し枚数を計数し、前記繰り出し枚数が前記ジャム発生時数に到達する前までの前記原稿は前記原稿読取処理をせずに順次排出する一方、前記繰り出し枚数が前記ジャム発生時数に到達した以後の前記原稿は前記原稿読取処理を実行して排出する第２の原稿搬送処理を開始することを特徴とする。
また、前記昇降機構はステッピングモーターを含み、前記第１の上昇量ならびに前記第２の上昇量は前記ステッピングモーターへ付与するパルス信号のパルス数に基づいて算出することを特徴とする。
さらに、前記制御部は、諸情報を出力するとともに各種処理の指示命令が入力される入出力部を有し、前記第１の原稿搬送処理中に前記原稿搬送部内で前記原稿ジャムが発生した際は前記入出力部を介して前記原稿一式を再度前記原稿載置板に載置させる要求情報を出力するとともに前記第２の原稿搬送処理の開始指示を待ち、前記第２の原稿搬送処理の開始指示後に前記第１の上昇量と前記第２の上昇量との差が前記許容値を超えている場合には繰り返し前記入出力部を介して前記原稿一式を再度前記原稿載置板に載置させる要求情報を出力するとともに前記第２の搬送処理の開始指示を待つことを特徴とする。
【発明の効果】
【００１２】
本発明によれば、ＡＤＦを用いた複数ページの原稿一式を読み取り中に発生した原稿詰まりを解消させた後に起こり得る原稿一式の再セットミスを防止し、複数ページで一式となる原稿を正しく且つ効率良く再読み取りすることが可能となるという効果を奏する。
【図面の簡単な説明】
【００１３】
【図１】本発明が適用される複合機１の構成を示す図である。
【図２】本実施の形態におけるＡＤＦ２において、原稿がピックアップローラー２７によって繰り出される様子を示す図である。
【図３】本実施の形態における、ＡＤＦ２による原稿一式ＤSの読み取り手順ならびに再読み取りが指示された際の手順を示すフローチャートである。
【発明を実施するための形態】
【００１４】
次に、本発明の実施の形態を、図面を参照して具体的に説明する。本発明は、図１に示すように複合機（ＭＦＰ：Ｍulti Ｆunction Ｐeripheral）１に適用されるものであり、本体１０内に印刷部１２を有し、本体１０の上部（上面）に原稿読取部２０が形成されている。なお、印刷部１２の構成は一般的なものであるので、詳細な説明は省略する。
【００１５】
原稿読取部２０は、スキャナー２１（読み取り部）を移動させることで、原稿読取部２０の上面と対向する原稿Ｄの一方の面の画像を読み取るものであるが、本実施の形態の複合機１では、本体１０の上部にＡＤＦ２が載置されている。
ＡＤＦ２は、原稿トレイ２２と原稿搬送部２４とを有しており、原稿トレイ２２に載置された原稿Ｄを原稿読取部２０の上面へと搬送する。この時、原稿Ｄはスキャナー２１の上方を通過するので、スキャナー２１を移動させることなく原稿Ｄの一方の面の画像を読み取る構成となっている。
なお、原稿搬送部２４によって原稿Ｄを搬送するためには、原稿Ｄを、後述するリフト板４５上またはリフト板４５から原稿トレイ２２に渡る状態で載置するが、原稿Ｄの読み取りを行っていない時は、図１に示すようにリフト板４５と原稿トレイ２２とはほぼ一体の形状を成しているので、便宜上は原稿トレイ２２上に原稿Ｄを載置するものとする。
【００１６】
原稿搬送部２４において原稿トレイ２２側には、原稿Ｄを搬送するための給紙ローラー対２５ａならびに２５ｂと、一端部側がこの給紙ローラー２５ａと同軸に支持されて遥動（回動）可能である遥動部材２６が設けられている。遥動部材２６の他端部側には、原稿Ｄを繰り出すためのピックアップローラー２７（繰り出しローラー）が設けられている。
【００１７】
また、遥動部材２６の遥動端側の上方には、遥動部材２６の近接を検知するためのセンサー（例えばスイッチ）２８が設けられている。
なお、給紙ローラー対２５ａならびに２５ｂとピックアップローラー２７には、原稿Ｄを繰り出して搬送するためのモーターの回転駆動力がベルト等によって伝えられるが、これらの構成は一般的なものであるので、図示ならびに詳細な説明は省略する。
【００１８】
この他、原稿搬送部２４には、原稿Ｄを搬送する各ローラーの回転を検知するロータリーエンコーダー（図示省略）や原稿排出部２４ａ側（原稿排出部２４ａの近傍）に設けられ原稿Ｄの通過を検知するセンサー２９（フォトインタラプターやスイッチ）等によってジャムを検知するための構成（ジャム検知部）を有しているが、こうしたジャムを検知するための構成は一般的なものであるので、詳細な説明は省略する。
【００１９】
本体１０には、一例としてその上部に制御部３が設けられている。制御部３は、操作部３３とＩ／Ｆ（Ｉnterｆace：インターフェイス）３５とを有する入出力部３２や記憶部３６および複合機１全体を制御するＣＰＵ（Ｃentral Ｐrocessing Ｕnit：中央処理装置）３９から構成されている。
【００２０】
操作部３３は、この複合機１の利用者に各種情報を報知したり利用者からの指示・操作を受け付けたりするための表示器（例えば液晶表示器）やタッチパネル、スイッチやボタン（キーボード）等から構成される。
Ｉ／Ｆ３５は、外部の通信回線と接続してコンピューター等（図示省略）との間で画像データや各種情報を送受信するための、有線ＬＡＮ（Ｌocal Ａrea Ｎetwork）通信回路や無線ＬＡＮ通信回路の他、これらとはプロトコルの異なる無線通信回路やパラレルデータバスやシリアルデータバスの外部通信回路等から構成される。なお図示しないが、メモリーカード等の読み書き回路も、このＩ／Ｆ３５に含まれる。
【００２１】
本実施の形態では、スキャナー２１によって原稿Ｄの画像を画像データとして読み取った際、その画像データを印刷部１２によって印刷するための形態に並べ替えたり、複数ページ分の画像データを１つの電子ファイルとしてまとめる（圧縮する）。また、原稿トレイ２２上の原稿Ｄを繰り出す毎に、ページ積算値Ｎ（繰り出し枚数）に加算する。
記憶部３６は、これら画像データや電子ファイルを記憶する他、Ｉ／Ｆ３５を介して電子ファイルを出力するまでの間のバッファの役割を果たしたり、初期リフト量Ｖ0（後述）を保持する領域ならびに各種レジスタやカウンタの領域、画像データ一時記憶領域をも有している。
この記憶部３６は、ＲＡＭ（Ｒandom Ａccess Ｍemory：随時読み書き可能記憶装置）の他、必要に応じてフラッシュメモリー（flash memory：電気的書き換え可能半導体記憶装置の一種）やＨＤＤ（Ｈard Ｄisk Ｄrive：固定磁気記憶装置）等から構成される。
【００２２】
原稿トレイ２２において原稿搬送部２４側には、リフト板４５（原稿載置板）が設けられている。このリフト板４５の一端部（原稿搬送部２４とは逆側）は支持部４６によって原稿トレイ２２に支持され、リフト板４５の他端部が矢印Ａ方向に回動可能となっている。
また、リフト板４５の下方にはカム等の昇降機構４７が設けられている。この昇降機構４７は、ステッピングモーターとギア等（何れも詳細な図示は省略）が組み合わされた駆動部４８によって回転駆動（ベルト等によって回転力が伝達されるが、図示省略する）され、凸部４７ａの向きが変わる。なお、駆動部４８には制御部３からパルス信号Ｐが供給される。
【００２３】
次に、複数ページの原稿一式（ＤS）が原稿トレイ２２上に載置され、原稿（Ｄ）がピックアップローラー２７によって繰り出される様子を、図２を参照して説明する。
ＡＤＦ２によって複数ページの原稿一式ＤSを読み取ろうとする時、図２（ａ）に示すように、原稿一式ＤSを原稿トレイ２２上に載置する。原稿一式ＤSの読み取りを開始する前は、昇降機構４７の凸部４７ａはリフト板４５を押し上げない向きとなっている。なお、原稿一式ＤSの読み取りを終了した後は、必ず同じ向きに戻るものとする。
【００２４】
また原稿一式ＤSの読み取りを開始する前は、リフト板４５とピックアップローラー２７との間に、複数ページの原稿一式ＤSを載置するために十分な間隔を有しているとともに、遥動部材２６はセンサー２８に検知されない。
【００２５】
ＡＤＦ２による原稿一式ＤSの読み取りが開始されると、まず駆動部４８によって昇降機構４７を矢印Ｂ方向に回動させる。昇降機構４７が矢印Ｂ方向に回動を続けると、凸部４７ａがリフト板４５の下面に当接し、さらにリフト板４５を矢印Ａ方向に回動させる（押し上げる）。
【００２６】
さらに昇降機構４７が矢印Ｂ方向に回動を続けると、図２（ｂ）に示すようにリフト板４５上に載置された原稿一式ＤS（原稿一式ＤSの先端部）がピックアップローラー２７に当接し、さらにピックアップローラー２７を上方へ押し上げる。
この状態になると、ピックアップローラー２７を回転駆動することによって、ピックアップローラー２７とリフト板４５との間に挟持される原稿一式ＤSの内、ピックアップローラー２７に当接する１ページ分の原稿Ｄを繰り出し、搬送することができる。
【００２７】
センサー２８は、ピックアップローラー２７によって原稿Ｄを繰り出すことができる状態になった際に、ピックアップローラー２７とともに押し上げられる遥動部材２６を検知し得る位置に取り付けられている。こうして、押し上げられた遥動部材２６をセンサー２８によって検知した時点で、昇降機構４７の回動を停止させる。この時のリフト板４５の端部の移動距離が、図２（ｂ）に示すリフト上昇量Ｖである。なお、原稿一式ＤS全体の厚さとリフト上昇量Ｖとは、反比例関係にある。
【００２８】
原稿トレイ２２に載置した複数ページの原稿一式ＤSを最初に読み取る時のリフト板４５の端部の移動距離を初期リフト上昇量Ｖ0とする（図示しないが、必要に応じてこの場合の原稿一式をＤS0とする）と、原稿搬送部２４でジャムが発生し、ジャムを解消後に原稿一式ＤSを再度、原稿トレイ２２に載置して読み取りを再開する時のリフト板４５の端部の移動距離であるリフト上昇量Ｖ（図示しないが、必要に応じてこの場合の原稿一式をＤS1とする）は、リフト上昇量Ｖ0とほぼ一致することになる。
本発明は、この初期リフト上昇量Ｖ0とリフト上昇量Ｖとの差異を求めることによって、最初に読み取りを開始した原稿一式ＤS0全体の厚さとジャム解消後に読み取りを再開した原稿一式ＤS1全体の厚さとに違いがあるか否かを判断する。
【００２９】
次に本実施の形態の動作の流れを、図３を参照して説明する。なお本実施の形態では、駆動部４８のステッピングモーターに供給するパルス信号Ｐのパルス数を計数することで、リフト上昇量Ｖに相当する移動距離を測定するものとする。昇降機構４７の回動開始からセンサー２８が遥動部材２６を検知するまでのパルス信号Ｐの計数値は、リフト上昇量Ｖに相当する。
【００３０】
原稿トレイ２２に複数ページからなる原稿一式ＤSがセットされ（Ｓｔｅｐ１１）、入出力部３２を介して原稿一式ＤSの読み取りの開始が指示される（Ｓｔｅｐ１２）と、ＣＰＵ３９はリフト板４５の上昇を開始し、リフト上昇量Ｖを計測する（Ｓｔｅｐ１３）。原稿一式ＤS0の読み取りの開始時は、計測したリフト上昇量Ｖを初期リフト上昇量Ｖ0として記憶部３６に記憶する（Ｓｔｅｐ１４）。
次に、記憶部３６に記憶しているページ積算値Ｎを０にするとともに、同電子ファイルをクリア（記憶部３６の電子ファイル領域のデータを消去）する（Ｓｔｅｐ１５）。
【００３１】
次に、ピックアップローラー２７によって原稿一式ＤSから１ページ分の原稿Ｄを繰り出して原稿搬送部２４による搬送を開始するとともに、記憶部３６に記憶しているページ積算値Ｎに１を加算する（Ｓｔｅｐ２１）。
ここでＣＰＵ３９は、原稿搬送部２４内でジャムが発生しているか否かを確認し（Ｓｔｅｐ２２）。ここで、ジャムが発生していなければ原稿搬送部２４で搬送中の１ページの画像をスキャナー２１で読み取り、この１ページは排出し、読み取った画像データを記憶部３６の画像データ一時記憶領域に記憶するとともに電子ファイルに追加する（Ｓｔｅｐ２３）。
【００３２】
こうして、１ページ分の画像を読み取った後、原稿トレイ２２に原稿Ｄが残っているか否かを確認し（Ｓｔｅｐ２４）、残っていればＳｔｅｐ２１の処理に戻る一方、原稿トレイ２２に原稿Ｄが残っていなければ、記憶部３６に記憶している電子ファイルを印刷部１２で印刷するか、またはＩ／Ｆ３５を介して図示しないコンピューターやメモリーカード等へ出力し（Ｓｔｅｐ２５）、処理を終了する。
【００３３】
上述のＳｔｅｐ２２において、原稿搬送部２４内でジャムが発生していた場合、リフト板４５を下降させ、この時点のページ積算値Ｎをジャム発生ページ番号Ｎj（ジャム発生時数）として記憶部３６に記憶する（Ｓｔｅｐ３１）。またこの時、入出力部３２を介してジャム解除を要求する旨のメッセージを報知する（Ｓｔｅｐ３２）。
【００３４】
さらに、原稿トレイ２２上に読み取り済みのページおよび原稿搬送部２４内に詰まったページを含む原稿一式ＤSの再セットを要求する旨のメッセージを入出力部３２等から報知し（Ｓｔｅｐ４１）、読み取り再開の指示を待つ（Ｓｔｅｐ４２）。
【００３５】
Ｓｔｅｐ４２で読み取り再開の指示があった場合、ＣＰＵ３９はリフト板４５の上昇を開始し、改めてリフト上昇量Ｖを計測する（Ｓｔｅｐ４３）。
ここで、計測したリフト上昇量Ｖと記憶部３６に記憶している初期リフト上昇量Ｖ0とを比較し（Ｓｔｅｐ４４）、その差が予め決められる所定の許容値を超えている場合、原稿トレイ２２上に再セットされた原稿一式ＤS1の枚数が最初のセット時（原稿一式ＤS0）と異なると判断して、Ｓｔｅｐ４１に戻る。
【００３６】
原稿トレイ２２にセットされる原稿一式ＤS1は、原稿搬送部２４で搬送される際にくせ（カール）が付くことがあり、ジャムの発生時には折り目が付いてしまうことも少なくない。従って、最初の読み取り時と比較すると、再セット時には原稿一式ＤS全体の厚さには誤差が生じ得る。
そこで本実施の形態では、生じ得る誤差の値を上述の許容値とし、リフト上昇量Ｖと初期リフト上昇量Ｖ0との差が許容値以下である場合には、再セットされた原稿一式ＤSの枚数が最初のセット時と同一であると見なす。
【００３７】
Ｓｔｅｐ４４で、リフト上昇量Ｖと初期リフト上昇量Ｖ0との差が所定の許容値以下である場合、原稿トレイ２２上に再セットされた原稿一式ＤS1の枚数が最初のセット時（原稿一式ＤS0）と同一であると判断し、記憶部３６に記憶しているページ積算値Ｎを０にする（Ｓｔｅｐ４５）。
次に、ピックアップローラー２７によって原稿一式ＤS1から１ページ分の原稿Ｄを繰り出して原稿搬送部２４による搬送を開始するとともに、記憶部３６に記憶しているページ積算値Ｎに１を加算する（Ｓｔｅｐ５１）。
【００３８】
ここで、記憶部３６に記憶しているページ積算値Ｎが、記憶部３６に記憶しているジャム発生ページ番号Ｎjから１を減じた値と等しいか否か比較する（Ｓｔｅｐ５２）。
ジャム発生ページ番号Ｎjは、最初の読み取りでジャムの発生したページ番号である。従って、再読み取り時にはページ積算値Ｎがジャム発生ページ番号Ｎjの１つ前の値に相当するページまでは、読み取った画像データを記憶部３６の電子ファイルに追加しない。
そこで、Ｓｔｅｐ５２でページ積算値Ｎがジャム発生ページ番号Ｎjから１を減じた値に達していない場合には、原稿搬送部２４による搬送中の１ページは読み取らずに排出し（Ｓｔｅｐ５３）、Ｓｔｅｐ５１に戻る。
【００３９】
一方Ｓｔｅｐ５２で、ページ積算値Ｎがジャム発生ページ番号Ｎjから１を減じた値と等しい場合には、原稿搬送部２４で搬送中の１ページの画像をスキャナー２１で読み取り、この１ページは排出する（Ｓｔｅｐ６１）。
【００４０】
記憶部３６の画像データ一時記憶領域には、ジャム発生ページ番号Ｎjの１つ前の値に相当するページから読み取った画像データが記憶されている（Ｓｔｅｐ２３参照）。
そこで、Ｓｔｅｐ６１で読み取った画像データと記憶部３６の画像データ一時記憶領域に記憶されている画像データとが一致するか否かを判断する（Ｓｔｅｐ６２）。
【００４１】
なお、Ｓｔｅｐ６１で画像を読み取るページも、ジャムの発生後に原稿トレイ２２上に再セットされる原稿一式ＤS1であるため、最初の読み取り時に原稿搬送部２４で搬送された際にくせが付いている場合もある。このような場合、読み取った画像データが記憶部３６の画像データ一時記憶領域に記憶されている画像データと完全には一致しないことも多い。
そこで例えば、予め決められるアルゴリズムで２つの画像データの一致比率を算出し、この比率が所定値以上であれば、両者の画像データが同一であると見なすものとする。このアルゴリズムについては様々なものがあり、アルゴリズム自体は本発明の特徴部分ではないので、詳細な説明は省略する。
【００４２】
上述のＳｔｅｐ６２において、Ｓｔｅｐ６１で読み取った画像データと記憶部３６の画像データ一時記憶領域に記憶されている画像データとが一致しない場合、原稿トレイ２２上に再セットされた原稿一式ＤS１にページの入れ違い等があると判断して、Ｓｔｅｐ４１に戻る。即ち、全ての原稿一式ＤSの再セットを要求する旨のメッセージを入出力部３２等から報知し、読み取り再開の指示を待つ。
一方、Ｓｔｅｐ６２において、Ｓｔｅｐ６１で読み取った画像データと記憶部３６の画像データ一時記憶領域に記憶されている画像データとが一致する場合は、Ｓｔｅｐ２１に戻る。即ち、原稿搬送部２４内に詰まったページから、読み取りを再開する。
【００４３】
このように本実施の形態では、ＡＤＦで発生したジャムの解消後、読み取り済みのページおよび原稿搬送部内に詰まったページを含む全ての原稿の再セットを要求するが、最初の読み取り時に対して原稿全体の厚さが変わった場合には、繰り返し原稿の再セットを要求する。これによって、原稿の再セットミスを防止することができる。
【００４４】
また、最後に読み取った画像データを画像データ一時記憶領域に逐次記憶しておき、読み取り再開時には、ジャムが発生した前のページの画像データと画像データ一時記憶領域に記憶している画像データとが一致しなければ、繰り返し原稿の再セットを要求する。これによって、原稿のページの入れ違いを防止することができる。
【００４５】
なお、本発明が上記各実施の形態に限定されず、本発明の技術思想の範囲内において、各実施の形態は適宜変更され得ることは明らかである。
例えば、リフト板の形状やその昇降機構の形状や設置位置、これらの駆動形態は、本実施の形態に示すものに限定されない。また、リフト上昇量を計測する方法は、パルス信号を計数するものの他、時間を測定するものや、距離センサー等を用いるものであってもよい。
【００４６】
さらに、スキャナーで読み取った画像データを全て読み取った時の形態のまま（並べ替え等の処理をせずに）記憶部に記憶する構成のものにあっては、記憶部に画像データ一時記憶領域を設ける必要はなく、最後に記憶した画像データの位置（アドレス等）を逐次記憶しておけばよい。
【００４７】
他にも、読み取った画像データを１つの電子ファイルにまとめ、および圧縮する方法やアルゴリズムにも様々なものがあるが、本発明は特定の電子ファイル化方法や圧縮アルゴリズムに限定されるものではない。
なお、各図において、同一構成要素には同一符号を付している。
【符号の説明】
【００４８】
１  複合機
２  ＡＤＦ
３  制御部
２１  スキャナー（読み取り部）
２２  原稿トレイ
２４  原稿搬送部
２７  ピックアップローラー（繰り出しローラー）
２９  センサー（ジャム検知部）
３２  入出力部
３６  記憶部
４５  リフト板（原稿載置板）
４７  昇降機構
Ｄ  原稿
ＤS  原稿一式
Ｐ  パルス信号
Ｖ  リフト上昇量
【図１】
2015164249.tif 000003
【図２】
2015164249.tif 000004
【図３】
2015164249.tif 000005